(57)【要約】ハンマー（１０）と、ハンマーの正面を定義している打撃面（２２）を有する打撃ヘッド（２０）および少なくとも１つの正面抜き取り器（３２）を備えたインターフェース部を備えるハンマーヘッド（１２）。１つの実施態様では、スロット（３３、２５、３７）によって形成されている複数の正面抜き取り器（３２、３４、３６）が設けられており、インターフェース部は正面抜き取り器（３２、３４、３６）を通って延びている溝を含んでいる。１つの実施態様では、スロットはくぎのヘッドが支持できるような大きさとされおよび／または帯磁されてくぎが打撃面に対して実質的に垂直に片持ちとされるようになっている。表面からくぎを抜き取る方法も提供されている。
2006507132.tif 000002
【特許請求の範囲】
【請求項１】
ハンマーであって、
第１の端部を有するハンドルと、
前記ハンドルの前記第１の端部に固定され、前記ハンマーの正面を定義する打撃面が設けられた打撃ヘッドを有するハンマーヘッドと、
前記打撃ヘッドに取り付けられ、少なくとも１つの正面抜き取り器を有するインターフェース部と、
を備えているハンマー。
【請求項２】
前記インターフェース部は前記少なくとも１つの正面抜き取り器を通って延びている溝を備えることを特徴とする請求項１に記載のハンマー。
【請求項３】
前記少なくとも１つの正面抜き取り器は複数の正面抜き取り器であることを特徴とする請求項１に記載のハンマー。
【請求項４】
前記インターフェース部は前記複数の正面抜き取り器を通って延びている溝を備えることを特徴とする請求項３に記載のハンマー。
【請求項５】
前記複数の正面抜き取り器の少なくとも１つが前記インターフェース部に形成されている少なくとも１つのスロットによって形成されていることを特徴とする請求項３に記載のハンマー。
【請求項６】
前記少なくとも１つのスロットは角度の付けられた形状を持ち前記スロットの幅が前記インターフェース部に向かって狭くなるようになっていることを特徴とする請求項５に記載のハンマー。
【請求項７】
前記インターフェース部は前記打撃ヘッドの下側と前記ハンドルとの間に斜めにまたがっていることを特徴とする請求項３に記載のハンマー。
【請求項８】
前記インターフェース部もまた前記ハンドルに取り付けられていることを特徴とする請求項７に記載のハンマー。
【請求項９】
前記少なくとも１つの正面抜き取り器は前記インターフェース部にスロットによって形成されている複数の正面抜き取り器であることを特徴とする請求項８に記載のハンマー。
【請求項１０】
前記インターフェース部は前記複数の正面抜き取り器を通って延びている溝を備えることを特徴とする請求項９に記載のハンマー。
【請求項１１】
前記インターフェース部は溶接によって前記打撃ヘッドおよび前記ハンドルにとりつけられていることを特徴とする請求項８に記載のハンマー。
【請求項１２】
前記インターフェース部は前記打撃ヘッドおよび前記ハンドルと一緒に一体的に形成されていることを特徴とする請求項８に記載のハンマー。
【請求項１３】
前記インターフェース部の前記少なくとも１つの正面抜き取り器は前記ハンドルに実質的に平行に片持ちとされている第１の正面抜き取り器を備えることを特徴とする請求項１に記載のハンマー。
【請求項１４】
前記第１の正面抜き取り器は前記ハンドルから約１  ５／８インチの間隔があけられていることを特徴とする請求項１３に記載のハンマー。
【請求項１５】
前記ハンドルと前記第１の正面抜き取り器との間に片持ちとされている第２の正面抜き取り器をさらに備えることを特徴とする請求項１３に記載のハンマー。
【請求項１６】
前記第１の抜き取り器は前記第２の抜き取り器よりも長いことを特徴とする請求項１５に記載のハンマー。
【請求項１７】
前記第２の抜き取り器は前記ハンドルに実質的に平行に片持ちとされていることを特徴とする請求項１５に記載のハンマー。
【請求項１８】
前記第２の正面抜き取り器は前記ハンドルから約１  １／４インチの間隔があけられていることを特徴とする請求項１７に記載のハンマー。
【請求項１９】
前記第１の抜き取り器および前記第２の抜き取り器は前記インターフェース部にスロットによって形成されていることを特徴とする請求項１５に記載のハンマー。
【請求項２０】
前記少なくとも１つのスロットはくぎのヘッドがそのなかに支持される大きさとされて前記くぎが前記打撃面に対して実質的に垂直に片持ちとされるようになっていることを特徴とする請求項５に記載のハンマー。
【請求項２１】
前記少なくとも１つのスロットは１／１６から１／８インチの幅とされていることを特徴とする請求項２０に記載のハンマー。
【請求項２２】
前記スロットは約３／３２の幅とされていることを特徴とする請求項２１に記載のハンマー。
【請求項２３】
前記スロットは先細りとされて前記スロットの幅が前記インターフェース部に向かって狭くなるようになっていることを特徴とする請求項２１に記載のハンマー。
【請求項２４】
前記複数の正面抜き取り器の少なくとも１つが帯磁されてくぎをそのなかに支持できるようにし前記くぎが前記打撃面に対して実質的に垂直に片持ちとされるようになっていることを特徴とする請求項３に記載のハンマー。
【請求項２５】
前記ハンマーヘッドは前記打撃ヘッドの反対側に配置される従来の爪も備えることを特徴とする請求項１に記載のハンマー。
【請求項２６】
ハンマーヘッドであって、
前記ハンマーヘッドの正面を定義する打撃面を有する打撃ヘッドと、
前記打撃ヘッドに取り付けられ、前記打撃ヘッドの近位にくぎの抜き取りを可能とするように適合されている複数の正面抜き取り器を有するインターフェース部と、
を備えたハンマーヘッド。
【請求項２７】
前記複数の正面抜き取り器は前記インターフェース部から片持ちとされている第１の正面抜き取り器と前記インターフェース部から片持ちとされている第２の正面抜き取り器とを備えることを特徴とする請求項２６に記載のハンマーヘッド。
【請求項２８】
前記第１の正面抜き取り器は前記第２の正面抜き取り器よりも長いことを特徴とする請求項２７に記載のハンマーヘッド。
【請求項２９】
前記第１の正面抜き取り器は前記打撃面に実質的に平行であることを特徴とする請求項２７に記載のハンマーヘッド。
【請求項３０】
前記第２の正面抜き取り器は前記打撃面に実質的に平行であることを特徴とする請求項２７に記載のハンマーヘッド。
【請求項３１】
前記インターフェース部は前記第１の正面抜き取り器および前記第２の正面抜き取り器を通って延びている溝を備えることを特徴とする請求項２７に記載のハンマーヘッド。
【請求項３２】
前記複数の正面抜き取り器の少なくとも１つは前記インターフェース部に形成されている少なくとも１つのスロットによって形成されていることを特徴とする請求項２６に記載のハンマーヘッド。
【請求項３３】
前記インターフェース部は前記複数の正面抜き取り器を通って延びている溝を備えることを特徴とする請求項３２に記載のハンマーヘッド。
【請求項３４】
前記少なくとも１つのスロットはくぎのヘッドがそのなかに支持される大きさとされて前記くぎが前記打撃面に対して実質的に垂直に片持ちとされるようになっていることを特徴とする請求項３３に記載のハンマーヘッド。
【請求項３５】
前記少なくとも１つのスロットは１／１６から１／８インチの幅とされていることを特徴とする請求項３４に記載のハンマー。
【請求項３６】
前記スロットは約３／３２インチの幅とされていることを特徴とする請求項３５に記載のハンマーヘッド。
【請求項３７】
前記スロットは先細りとされて前記スロットの幅が前記インターフェース部に向かって狭くなるようになっていることを特徴とする請求項３６に記載のハンマーヘッド。
【請求項３８】
前記複数の正面抜き取り器の少なくとも１つが帯磁されてくぎをそのなかに支持できるようにし前記くぎが前記打撃面に対して実質的に垂直に片持ちとされるようになっていることを特徴とする請求項２６に記載のハンマーヘッド。
【請求項３９】
前記打撃ヘッドの反対側に配置される従来の爪も備えることを特徴とする請求項２６に記載のハンマーヘッド。
【請求項４０】
ハンマーヘッドであって、
前記ハンマーヘッドの正面を定義している打撃面を有する打撃ヘッドと、
前記打撃ヘッドから片持ちとされているくぎの抜き取りを可能とするように適合されている第１の正面抜き取り器および第２の正面抜き取り器と、
を備えているハンマーヘッド。
【請求項４１】
前記第１の正面抜き取り器は前記第２の正面抜き取り器よりも長いことを特徴とする請求項４０に記載のハンマーヘッド。
【請求項４２】
前記第１の正面抜き取り器は前記打撃面に実質的に平行であることを特徴とする請求項４０に記載のハンマーヘッド。
【請求項４３】
前記第２の正面抜き取り器は前記打撃面に実質的に平行であることを特徴とする請求項４０に記載のハンマーヘッド。
【請求項４４】
前記第１の正面抜き取り器および前記第２の正面抜き取り器を通って延びている溝をさらに備えることを特徴とする請求項４０に記載のハンマーヘッド。
【請求項４５】
前記第１の正面抜き取り器と前記第２の正面抜き取り器との間にスロットが設けられていることを特徴とする請求項４４に記載のハンマーヘッド。
【請求項４６】
前記スロットはそのなかにくぎのヘッドを保持する大きさとされて前記釘が前記溝に保持され前記打撃面に対して実質的に垂直に片持ちとされるようになっていることを特徴とする請求項４５に記載のハンマーヘッド。
【請求項４７】
前記スロットは約１／１６から１／８インチの間の幅とされていることを特徴とする請求項４６に記載のハンマーヘッド。
【請求項４８】
前記スロットは約３／３２インチの幅とされていることを特徴とする請求項４７に記載のハンマーヘッド。
【請求項４９】
前記スロットは先細りとされて前記スロットの幅が前記打撃ヘッドに向かって狭くなるようになっていることを特徴とする請求項４６に記載のハンマーヘッド。
【請求項５０】
前記第１の正面抜き取り器および前記第２の正面抜き取り器のうち少なくとも１つが帯磁されてくぎが前記溝のなかに保持され前記打撃面に対して実質的に垂直に片持ちとされるようになっていることを特徴とする請求項４４に記載のハンマーヘッド。
【請求項５１】
前記第１の正面抜き取り器および前記第２の正面抜き取り器は前記ハンマーヘッドの前記打撃ヘッドと一体的に形成されることを特徴とする請求項４０に記載のハンマーヘッド。
【請求項５２】
前記打撃ヘッドの反対側に配置される従来の爪をさらに備えることを特徴とする請求項４０に記載のハンマーヘッド。
【請求項５３】
ハンマーであって、
第１の端部を有するハンドルと、
前記ハンドルの第１の端部に固定され、前記ハンマーの正面を定義している打撃面が設けられた打撃ヘッドを有するハンマーヘッドと、
前記打撃ヘッドおよび前記ハンドルのうち少なくとも１つに取り付けられ、前記ハンマーヘッドの近位に前記ハンマーの正面に向かって配置される複数の正面抜き取り器を有するインターフェース部と、
を備えているハンマー。
【請求項５４】
前記インターフェース部は前記複数の正面抜き取り器を通って延びている溝を備えることを特徴とする請求項５３に記載のハンマー。
【請求項５５】
前記複数の正面抜き取り器は前記インターフェース部に形成されている少なくとも１つのスロットによって形成されていることを特徴とする請求項５３に記載のハンマー。
【請求項５６】
前記インターフェース部は前記打撃ヘッドの下側と前記ハンドルとの間に斜めにまたがっていることを特徴とする請求項５３に記載のハンマー。
【請求項５７】
前記インターフェース部は前記打撃ヘッドの下側と前記ハンドルとに取り付けられていることを特徴とする請求項５６に記載のハンマー。
【請求項５８】
前記複数の正面抜き取り器を有する前記インターフェース部は前記ハンドルに取り付けられてそこから片持ちとされていることを特徴とする請求項５３に記載のハンマー。
【請求項５９】
前記複数の正面抜き取り器を有する前記インターフェース部は前記打撃ヘッドに取り付けられてそこから片持ちとされていることを特徴とする請求項５３に記載のハンマー。
【請求項６０】
前記正面抜き取り器のうち少なくとも１つが前記ハンドルに対して実質的に平行に片持ちとされていることを特徴とする請求項５９に記載のハンマー。
【請求項６１】
前記複数の正面抜き取り器は前記インターフェース部に少なくとも１つのスロットによって形成されていることを特徴とする請求項５３に記載のハンマー。
【請求項６２】
前記少なくとも１つのスロットは角度の付いた形状を持ち前記スロットの幅が前記インターフェース部に向かって狭くなるようになっていることを特徴とする請求項６１に記載のハンマー。
【請求項６３】
前記少なくとも１つのスロットはそのなかにくぎのヘッドが支持できる大きさとされて前記くぎが前記打撃面に対して実質的に垂直に片持ちとされるようになっていることを特徴とする請求項６１に記載のハンマー。
【請求項６４】
前記複数の正面抜き取り器のうち少なくとも１つが帯磁されてそのなかにくぎが支持され前記くぎが前記打撃面に対して実質的に垂直に片持ちとされるようになっていることを特徴とする請求項５３に記載のハンマー。
【請求項６５】
表面からくぎを抜き取る方法であって、
くぎの隣にハンマーを、ハンマーの正面を定義しているハンマーの打撃面がくぎを抜き取ろうとしている表面に接触するように配置する工程と、
ハンマーの正面に向かってハンマーの打撃面の近位に配置された第１の正面抜き取り器にくぎを係合させる工程と、
ハンマーのハンドルを打撃面を中心に回転させて表面から部分的にくぎを抜き取る工程と、
第１の正面抜き取り器からくぎを解放する工程と、
ハンマーの正面に向かって第１の正面抜き取り器とハンマーのハンドルとの間に配置されている第２の正面抜き取り器にくぎを係合させる工程と、
ハンマーのハンドルを打撃面を中心に回転させてさらに表面からくぎを抜き取る工程と、
を包含する方法。
【請求項６６】
前記くぎを第２の正面抜き取り器に係合させてハンマーのハンドルを打撃面を中心に回転させる工程がくぎを表面から完全に抜き取ることを特徴とする請求項６５に記載の方法。
【請求項６７】
第２の正面抜き取り器からくぎを解放する工程と、
ハンマーの正面に向かって第２の正面抜き取り器とハンマーのハンドルとの間に配置されている第３の正面抜き取り器にくぎを係合させる工程と、
ハンマーのハンドルを打撃面を中心に回転させて表面からくぎを完全に抜き取る工程と、
をさらに包含することを特徴とする、請求項６５に記載の方法。
【発明の詳細な説明】
【技術分野】
【０００１】
本願は、２００１年９月６日に出願された米国仮特許出願第６０／３１７，１１９号の優先権を主張するものである。
【０００２】
本発明は、くぎまたは他の固定具の抜き取りに使用し得るハンマーおよびハンマーヘッドに関する。より詳細には、本発明は正面抜き取り器を持つハンマーまたはハンマーヘッドに関する。
【背景技術】
【０００３】
従来のハンマーはほとんどが直線的な裂け目爪タイプまたは曲線的な裂け目爪タイプのいずれかである。両方のタイプがくぎの抜き取りに使われる。これらのくぎ抜きハンマーは、ハンマーヘッドの正面に打金または頭を有し、ハンマーヘッドの後部に打金とは反対側に位置するくぎ取り除き爪を持つ。くぎ抜きハンマーはさまざまな家事目的、および組み立ておよび仕上げ作業やはぎ取りおよび他の取り壊し作業などの建設産業において使用される。当然ながらこれらの用途はほんの例示に過ぎず、ハンマーはさまざまな他の目的で他の用途に使うことができる。
【０００４】
従来のくぎ抜きハンマーの１つの大きな制約は、簡単にまたは迅速にくぎを抜き取るためには使えないという点である。これはいったん約１インチの距離までくぎが抜き取られるとてこの作用が実質的に小さくなるという事実が大きな原因である。特に、従来のくぎ抜きハンマーを使ってくぎが抜き取られるにつれてこの支点がくぎから離れることによりてこの作用が事実上小さくなり、またさらにくぎを引き抜くためにハンマーの使用者によって加えられなければならない必要な力が事実上大きくなる。従来のくぎ抜きハンマーのこのような欠点または制約は、くぎが抜き取りの難しい設計となっている場合に特に問題である。例えば、大型のくぎ、のりが塗布されたくぎ、またはリブ付き軸部をもつくぎは抜き取りが非常に困難な場合があり、そのため抜き取るにはユーザーによって大きな力を加えなければならない場合がある。
【０００５】
従来のくぎ抜きハンマーの他の制約は、比較的長さの長いくぎの抜き取り、またはすでに部分的に表面から取り除かれているくぎに関する。ハンマーヘッドの打撃部に対する従来の爪の幾何学的寸法のため完全な抜き取りがしばしば妨げられる。それに加え、抜き取ろうとしているくぎが特に長い場合、従来の爪を使った抜き取りはくぎを大きく折り曲げる場合がありその結果完全な抜き取りがさらに妨げられる。このような長いくぎを抜き取るには、大工はしばしばハンマーに加えて特別なくぎ抜き工具を使うか、または木材または他の物質からなるブロックを見つけてハンマーのヘッドの下に配置しハンマーを高くして支点を表面よりも上の位置とすることでてこの作用をより大きくする必要がある。
【０００６】
従来のくぎ抜きハンマーの上述の制約を解消しようとしてさまざまな解決策が提案されてきた。特に、米国特許第６，２７９，８７６号、第５，４４１，２３６号、第５，２４９，７７６号、第５，０６０，９１１号、第４，９９８，９９６号、第４，５３３，１１６号、第４，４２２，６２０号、第２，６５７，９０３号、および第２，５８９，０４６号はすべて、支点の配置が改善されるかさもなければくぎの抜き取り、とくに長いくぎの抜き取りを容易にするための適切なてこの作用を提供するよう調整可能とされているくぎ抜きハンマーを開示している。この点に関して、これらの提案されているハンマーは支点を高くして長いくぎが抜き取れるようになっているハンマーの頂上部から外側に延びる可動式メカニズムを提供する。しかしながら提案されている解決策はさまざまな移動部品を利用するため費用がかさみハンマーの耐久性を低下させる。さらに、提案されている多くの実施では延長した支点を規定するのにハンマーを手動で調整しなければならず、かかる特徴を持つハンマーを使うのは面倒であり、不便であり、時間の浪費である。可動式の延長可能な支点はハンマーの安定性も低下させ、さらにハンマーの従来の打撃およびはぎ取り用途によって不可避的に生じる支点メカニズムの磨耗および破損にともなってユーザーが負傷する大きな危険性を作り出す。
【０００７】
従来のくぎ抜きハンマーの上述の制約を解決しようとして他の解決策もまた提案されてきた。例えば、米国特許第２，２３９，７１９号、第１，５３５，６８５号、第１，４２５，３６９号、および第５５９，０４９号はすべて、長いくぎおよびさまざまな長さで表面から延びているくぎと係合して引き抜けるようになっている複数の爪を持ったハンマーを開示している。しかしながらこのような提案されているくぎ抜きハンマーはまだ、くぎから支点が離れて移動することによりてこの作用が制限される点に対応できていない。これらさまざまな提案されている解決策は従来の手段による抜き取りにまつわる効率の悪さを解決できておらず、むしろかえって破損、非安定性、時間の浪費、消耗、および負傷の可能性などのさらなる効率の悪さか、または従来のくぎ抜きハンマーを完全に機能させるにあたってのさまざまな障害のいずれかを生み出すという別の問題を生み出している。
【０００８】
従来のくぎ抜きハンマーのさらに別の制約は、ハンマーヘッドの爪の配置のために、ユーザーは爪を使うのに握り方を反転させおよび／またはハンマーを方向転換させなければならないという点である。このことはくぎを連続的に迅速に打ち込んだり抜き取ったりしなければならない状況では作業効率の妨げとなる。例えば、アルミニウム、しんちゅう、または亜鉛めっきされたくぎなどのより脆弱なくぎはより硬質の木材または表面に打ち込まれると曲がりやすい。当然ながら、これらの曲がったくぎは取り除いて交換用のくぎを代わりに挿入できるようにしなければならない。抜き取って別の交換用のくぎを挿入するたびに握り方を二度反転させおよび／またはくぎ抜きハンマーを方向転換させることになる。米国特許第１，２５２，９０３号はレース状ハチェットを開示しており、これはハチェットと同じ側にハンマーポールの下に配置された爪を持つものである。しかしながら参照文献’９０３号のレース状ハチェットは従来のハンマーのようには使えない、これはハンマーポールの反対側には爪が設けられていないためである。さらに、開示されているレース状ハチェットの爪は十分なてこの作用を提供できないためほとんどのくぎを効率的にまたは完全に抜き取ることができない。特に、長いくぎおよびさまざまな長さで表面から延びているくぎは開示されているレース状ハチェットを使っては簡単に抜き取ることができない。さらに、ほとんどのくぎを抜き取るのに、開示されているレース状ハチェットはくぎを爪とは別の手段に係合させるために実質的に配置換えする必要があり、また完全な抜き取りを行うために木製のブロックといったさらなる手段の使用も見込んでいる。この点で開示されているレース状ハチェットは、提案されている解決策において従来のくぎ抜きハンマーをくぎ抜き器として使用することに伴う問題に固有の効率の悪さに似た効率の悪さをともなう余地がある。
【０００９】
最後に、米国特許第Ｄ４３８，０８２号はくぎを所定の位置に保持するための備えを持ってユーザーが他方の手でくぎを保持せずともくぎを最初に表面に打ち込めるようにしたハンマー用の装飾的な設計を開示している。くぎの軸部に係合する止めねじによりくぎは所定の位置に保持されるように思える。しかしながらかかる保持手段の使用は面倒である、なぜならユーザーが保持手段を使いたいときはいちいち止めねじを固定しそして緩める必要があるからである。
【００１０】
従って上述のことがらを考慮すると、従来のハンマーの上述の制約を回避する改善されたハンマーに対するまだ満たされていない必要性は未だに存在する。特に、くぎの抜き取りを簡単にし、ハンマーをハンマーとして完全に機能できるようにし、ハンマーの有用性を向上するさらなる機能性および特徴を提供する改善されたハンマーに対するまだ満たされていない必要性は未だに存在する。
【発明の開示】
【発明が解決しようとする課題】
【００１１】
上述のことがらを考慮すると、本発明の１つの課題は表面からのくぎの抜き取りを簡単にするハンマーを提供することである。
【００１２】
本発明の他の課題は、ハンマーの支点を実質的に一定に維持することで、くぎが抜き取られるにつれてくぎを抜き取るのに必要な労力が増加しないようにするハンマーを提供することである。
【００１３】
本発明のさらに他の課題は、握り方を反転させるかまたはハンマーを方向転換させることなくくぎを抜き取れるようにするハンマーを提供することである。
【００１４】
本発明のさらに他の課題は、長いくぎの抜き取りを簡単にするハンマーを提供することである。
【００１５】
本発明のさらに他の課題は、簡単によじれるようにすることで通常の大きさの木製のはりを簡単に適切に配置できるようにするハンマーを提供することである。
【００１６】
本発明のさらに他の課題は、表面へのくぎの最初の打ち込みを簡単にするハンマーを提供することである。
【００１７】
本発明のさらに他の課題は、くぎの抜き取り効率を大きくし有用性を向上させるハンマーを提供しつつ、ハンマーを従来と同じように使えるようにすることである。
【課題を解決するための手段】
【００１８】
これらおよび他の課題および特徴は１つの実施態様によるハンマーによって達成され、かかるハンマーは、第１の端部を有するハンドルと、前記ハンドルの前記第１の端部に固定され、前記ハンマーの正面を定義する打撃面が設けられた打撃ヘッドを有するハンマーヘッドと、前記打撃ヘッドに取り付けられ、少なくとも１つの正面抜き取り器を有するインターフェース部と、を備えている。
【００１９】
１つの実施態様では、インターフェース部は前記少なくとも１つの正面抜き取り器を通って延びている溝を備えている。１つの実施態様では、少なくとも１つの正面抜き取り器はインターフェース部に形成されている少なくとも１つのスロットによって形成されている複数の正面抜き取り器である。他の実施態様では、スロットは角度の付けられた形状を持ちスロットの幅が前記インターフェース部に向かって狭くなるようになっている。
【００２０】
本発明の他の実施態様によると、インターフェース部は前記打撃ヘッドの下側とハンドルとの間に斜めにまたがっており、そこに取り付けられている。当然ながら、別の実施態様では、インターフェース部は片持ちとしてよい。インターフェース部は溶接または他の固定メカニズムによって打撃ヘッドおよび／またはハンドルに取り付けられるか、または打撃ヘッドおよび／またはハンドルと一緒に一体的に形成される。
【００２１】
さらに他の実施態様では、インターフェース部の少なくとも１つの正面抜き取り器はハンドルに実質的に平行に片持ちとされハンドルから約１  ５／８インチの間隔があけられている第１の正面抜き取り器を備えている。さらに、ハンマーはハンドルと第１の正面抜き取り器との間に片持ちとされ、第１の正面抜き取り器よりも短くハンドルから約１  １／４インチの間隔があけられている第２の正面抜き取り器をさらに備えていてもよい。
【００２２】
本発明のさらに他の実施態様によると、少なくとも１つのスロットはくぎのヘッドがそのなかに支持される大きさとされて前記くぎが前記打撃面に対して実質的に垂直に片持ちとされる。あるいは、またはそれに加えて、正面抜き取り器は帯磁されてくぎをそのなかに支持できるようにし前記くぎが前記打撃面に対して実質的に垂直に片持ちとされるようになっている。
【００２３】
他の側面によると、本発明は、第１の端部を有するハンドルと、前記ハンドルの第１の端部に固定され、前記ハンマーの正面を定義している打撃面が設けられた打撃ヘッドを有するハンマーヘッドと、前記打撃ヘッドおよび前記ハンドルのうち少なくとも１つに取り付けられ、前記ハンマーヘッドの近位に前記ハンマーの正面に向かって配置される複数の正面抜き取り器を有するインターフェース部と、を備えている。１つの実施態様では、インターフェース部は複数の正面抜き取り器を通って伸びている溝を備えており、複数の正面抜き取り器はインターフェース部に形成されている少なくとも１つのスロットによって形成されている。
【００２４】
他の実施態様では、インターフェース部は打撃ヘッドの下側とハンドルとの間に斜めにまたがっている。この点に関して、インターフェース部は打撃ヘッドの下側とハンドルとに取り付けてよい。あるいは、複数の正面抜き取り器を有するインターフェース部はハンドルに取り付けられてそこから片持ちとされるか、または打撃ヘッドに取り付けられてそこから片持ちとされる。
【００２５】
１つの実施態様では、複数の正面抜き取り器はインターフェース部に少なくとも１つのスロットによって形成されており、スロットには角度の付けられた形状が設けられてスロットの幅がインターフェース部に向かって狭くなるようになっている。他の実施態様では、スロットはそのなかにくぎのヘッドが支持されるような大きさとされている。あるいは、またはそれに加えて、複数の正面抜き取り器を帯磁させてそのなかにくぎを支持できるようにしてもよい。
【００２６】
本発明の他の側面はハンマーヘッドに関しており、かかるハンマーヘッドは、前記ハンマーヘッドの正面を定義する打撃面を有する打撃ヘッドと、前記打撃ヘッドに取り付けられ、前記打撃ヘッドの近位にくぎの抜き取りを可能とするように適合されている複数の正面抜き取り器を有するインターフェース部と、を備えているものである。１つの実施態様では、複数の正面抜き取り器は前記インターフェース部から片持ちとされている第１の正面抜き取り器と前記インターフェース部から片持ちとされている第２の正面抜き取り器とを備えている。
【００２７】
１つの実施態様によると、第１の正面抜き取り器は前記第２の正面抜き取り器よりも長く、第１の正面抜き取り器および第２の正面抜き取り器は両方とも打撃面に実質的に平行である。インターフェース部は好ましくは、インターフェース部に形成されている少なくとも１つのスロットによって形成されている第１の正面抜き取り器および第２の正面抜き取り器を通って延びている溝を備えている。
【００２８】
他の実施態様によると、スロットはくぎのヘッドがそのなかに支持される大きさとされて前記くぎが前記打撃面に対して実質的に垂直に片持ちとなるようにされる。あるいは、またはそれに加えて、正面抜き取り器を帯磁させてもよい。
【００２９】
本発明のさらに他の側面によると、ハンマーヘッドは、ハンマーヘッドの正面を定義している打撃面を有する打撃ヘッドと、前記打撃ヘッドから片持ちとされているくぎの抜き取りを可能とするように適合されている第１の正面抜き取り器および第２の正面抜き取り器と、を備えている。かかる実施態様では、第１の正面抜き取り器は好ましくは第２の正面抜き取り器よりも長く、抜き取り器は両方とも実質的に打撃面に対して平行である。
【００３０】
１つの実施態様によると、ハンマーヘッドは第１の正面抜き取り器および第２の正面抜き取り器を通って延びている溝、および第１の正面抜き取り器および第２の正面抜き取り器との間のスロットを備えている。スロットはそのなかにくぎのヘッドを保持するような大きさとしてくぎが溝の中に保持され打撃面に対して実質的に垂直に片持ちとされるようにしてよい。あるいは、またはそれに加えて、正面抜き取り器を帯磁させてもよい。
【００３１】
本発明のさらに他の側面によると表面からくぎを抜き取る方法が提供され、かかる方法は、くぎの隣にハンマーを、ハンマーの正面を定義しているハンマーの打撃面がくぎを抜き取ろうとしている表面に接触するように配置する工程と、ハンマーの正面に向かってハンマーの打撃面の近位に配置された第１の正面抜き取り器にくぎを係合させる工程と、ハンマーのハンドルを打撃面を中心に回転させて表面から部分的にくぎを抜き取る工程、第１の正面抜き取り器からくぎを解放する工程と、ハンマーの正面に向かって第１の正面抜き取り器とハンマーのハンドルとの間に配置されている第２の正面抜き取り器にくぎを係合させる工程と、ハンマーのハンドルを打撃面を中心に回転させてさらに表面からくぎを抜き取る工程とを包含している。
【００３２】
他の実施態様によると、かかる方法は第２の正面抜き取り器からくぎを解放する工程と、ハンマーの正面に向かって第２の正面抜き取り器とハンマーのハンドルとの間に配置されている第３の正面抜き取り器にくぎを係合させる工程と、およびハンマーのハンドルを打撃面を中心に回転させて表面からくぎを完全に抜き取る工程とをさらに包含している。
【００３３】
本発明のこれらおよび他の利点および特徴は、添付の図面とともに検討すると本発明の好適な実施態様の以下の詳細な説明から明らかになるであろう。
【発明の効果】
【００３４】
以上説明したように、本発明によれば、表面からのくぎの抜き取りを簡単にするハンマーを提供することができる。
【００３５】
また、ハンマーの支点を実質的に一定に維持することで、くぎが抜き取られるにつれてくぎを抜き取るのに必要な労力が増加しないようにするハンマーを提供することができる。
【００３６】
また、握り方を反転させるかまたはハンマーを方向転換させることなくくぎを抜き取れるようにするハンマーを提供することができる。
【００３７】
また、長いくぎの抜き取りを簡単にするハンマーを提供することができる。
【００３８】
また、簡単によじれるようにすることで通常の大きさの木製のはりを簡単に適切に配置できるようにするハンマーを提供することができる。
【００３９】
また、表面へのくぎの最初の打ち込みを簡単にするハンマーを提供することができる。
【００４０】
また、くぎの抜き取り効率を大きくし有用性を向上させるハンマーを提供しつつ、ハンマーを従来と同じように使えるようにすることができる。
【発明を実施するための最良の形態】
【００４１】
通常の当業者であれば明らかにわかるように、本発明によるハンマーおよびハンマーヘッドは従来のハンマーのすでに述べた欠点を克服するものである。特に本発明はくぎの抜き取りを簡単とし、ユーザーのよりよく手が届く距離を改善することで高い位置にあるくぎを抜き取れるようにしたものである。さらに、本発明の１つの実施態様によるハンマーおよびハンマーヘッドはまたくぎの挿入も容易とし、はりが簡単に回転できるようにするものである。この点に関して、以下に記載するさまざまな図面はハンマーヘッドと一体的に形成されているハンドルを備えた完全なハンマーを示しているが、本発明は別個のハンドルに簡単に取り付けることができその結果ハンマーを形成できるハンマーヘッドも含むものであることは明らかである。従って、ここで以下に記載するような本発明のさまざまな特徴はハンマーならびにハンマーヘッドの両方に適用できる。
【００４２】
図１は、本発明の１つの実施態様によるハンマー１０の部分側面図である。本発明ならびに以下の他の実施態様に示すハンマー１０は大工、自宅所有者などによって一般に使われている爪タイプのものであるが、本発明はこれに限られるものではなく他のタイプのハンマーとしても同様に具体化し得る点に留意すべきである。
【００４３】
再び図１を参照すると、図示されている実施態様のハンマー１０はハンドル１４の第１の端部に取り付けられているヘッド１２を備えている。ハンマー１０のハンドル１４にはハンドルグリップ１６（部分的にだけ示している）が設けられてユーザーが簡単にハンマー１０を扱えるようにしている。ハンマー１０のヘッド１２はハンドル１４に対して実質的に垂直に延びている打撃ヘッド２０を備えている。打撃ヘッド２０はその一端にくぎや固定具を打ち込むための打撃面２２を備えている。ハンマー１０のヘッド１２はまた、くぎのヘッドに係合してくぎを抜き取るためのｖ字型の溝を持つ従来の爪２４も備えている。爪２４を設けることで、図示されているハンマー１０が実質的に従来のように使用できるようになっている。
【００４４】
図示している実施態様によるハンマー１０にはまた、打撃ヘッド２０の下側とハンマー１０のハンドル１４の正面側との間に斜めにまたがっているインターフェース部３０も設けられている。図示されている実施態様では、インターフェース部３０が斜め向きになっていることにより図示されるようにインターフェース部３０とハンマーヘッド１２とハンドル１４との間に厚縁部３１が形成されている。インターフェース部３０には第１、第２、および第３の正面抜き取り器３２、３４、および３６がそれぞれ設けられている。この点に関して、正面抜き取り器３２、３４、および３６はそれぞれキャビティまたはスロット３３、３５、および３７によってインターフェース部３０に形成されている。
【００４５】
インターフェース部３０に形成されているスロット３３、３５、および３７は、抜き取りのために正面抜き取り器３２、３４、および３６によってくぎのヘッドまたは他の固定具のヘッドが係合されるような大きさとなっていることが好ましい。この点に関して、インターフェース部３０の表面３８（点線で表示されている）は抜き取られるくぎまたは他の固定具の動きを制限する溝の接触面を定義している。さらに、正面抜き取り器３２、３４、および３６はインターフェース部３０に沿って順次配置され、違う長さで壁またははりなどの表面から突出しているくぎまたは他の固定具を簡単に抜き取れるようにしている。さらに、正面抜き取り器３２、３４、および３６が順次配置されていることでてこの作用を累加的にして長いくぎまたは他の固定具が簡単に抜き取れるようになっている。
【００４６】
図２は図１のハンマー１０の正面図を示しており、これらの図面は両方とも本願において明確化のために参照するものである。図示するように、インターフェース部３０は好ましくはハンマー１０の打撃ヘッド２０よりも幅が超えることはなく、インターフェース部３０が標準的なくぎ抜きハンマーとしてのハンマー１０の完全な機能を妨害しないようになっている。しかしながら、他の実施態様および用途では、本発明のインターフェース部３０およびそれに設けられている正面抜き取り器は打撃ヘッド２０よりも幅がわずかに大きくてもよい。ｖ字型表面が溝４０と正面抜き取り器３２、３４、および３６との間の境界を示した状態で、表面３８を備えた溝４０は図示するように正面抜き取り器３２、３４、および３６を通って延びている。
【００４７】
図３は、壁、はり、または何らかの他の表面であり得る表面６から従来の爪２４を使ってくぎ２を抜き取るのに使用中の、本発明の実施態様のハンマー１０を示している。矢印「Ａ」の方向にハンマー１０を回転させることによりくぎ２を抜き取ることができる。しかしながら、図面ではくぎ２が従来の爪２４を使って抜き取るさいには、ハンマー１０が矢印Ａの方向に回転するにつれてハンマー１０の支点Ｃが矢印「Ｂ」の方向に移動してくぎ２から離れる。すでに述べたように、支点Ｃがこのように移動してくぎ２から離れることにより支点Ｃとくぎ２との間の有効な応力中心距離の長さが長くなり、その結果、矢印Ａの方向にハンマー１０を回転させるのに必要な力を増大させることができる。
【００４８】
図４は、ハンマー１０のインターフェース部３０に設けられている第１の正面抜き取り器３２を使って表面６からくぎ２を抜き取るのに使用中の、本発明の実施態様のハンマー１０を示している。この点に関して、ハンマー１０は打撃ヘッド２０の打撃面２２が表面６に沿って配置されるように配置されている。そして、ハンマー１０は正面抜き取り器３２がくぎ２のヘッド４に係合するように操作される。ハンマー１０は矢印「Ｄ」の方向に回転されることでハンマー１０が支点「Ｅ」を中心に回動し、これによりくぎ２をそのヘッド４によって引っ張ることにより抜き取ることができる。
【００４９】
図３に関して上で述べたように従来の爪２４を使うくぎの抜き取りとは反対に、図４に示す支点Ｅはくぎ２の位置に対して実質的に静止したままである。従って支点Ｅとくぎ２との間の応力中心距離の長さは一定のままである。その結果、矢印Ｄの方向にハンマー１０を回転させるのに必要な力は従来の爪２４を使う場合のように増大することはなく、よってくぎおよび他の固定具を取り除くのにハンマー１０のユーザーによって必要とされる労力および力は大幅に縮小される。もしくぎ２が長い場合は支点Ｅが実際にはわずかに移動してくぎ２に近寄ることにより、くぎ２が抜き取られるにつれてハンマー１０を回転させるのに必要な力をさらに小さくすることができる。
【００５０】
労力がこのように縮小されることで、日常的に多数のくぎおよび他の固定具を抜き取らなければならない大工や額縁職人といった末端ユーザーの疲労を最小限とすることにより本発明によるハンマー１０の有用性が大幅に向上する。それに加えて、本発明のハンマー１０はさらに従来の爪抜き取り器を使ったのであれば取り除けないであろうくぎも抜き取りできるようにする。
【００５１】
さらに、ハンマー１０の境界面３０に正面抜き取り器３２、３４、および３６を順次配置することによって長いくぎまたは固定具の抜き取りも簡単となっている。特に、くぎ２が格別長いかまたは表面６から大きく離れて突出している場合に、くぎ２のヘッド４が第１の正面抜き取り器３２に係合するとハンマー１０を適切に配置し作用させることが簡単には達成できない場合がある。かかる場合には、より長く突出しているくぎを受容するようインターフェース部３０に沿って配置されている第２の正面抜き取り器３４を使うことができる。図示されている実施態様では、インターフェース部３０にはより長く突出しているくぎを受容するための第３の正面抜き取り器３６がさらに設けられている。
【００５２】
さらに正面抜き取り器３２、３４、および３６がインターフェース部３０に順次配置されているため、ユーザーが第１の正面抜き取り器３２を使って表面６から部分的にくぎ２を抜き取れるようにし、次に第２の正面抜き取り器３４および／または第３の正面抜き取り器３６を使ってくぎ２の残っている部分を完全に抜き取れるようにすることで長いくぎの抜き取りが簡単となっている。これにより、当該分野において従来大工が行っていたように木製のブロックを使ってハンマーヘッド１２の位置を支持する必要や、従来行われていたような複雑な機構の必要がなくなる。
【００５３】
この点に関して、本発明の上述の実施態様は表面からくぎまたは他の固定具を抜き取るための新規の方法を提供している。特に、図１、図２、および図４を参照すると、開示されている方法はハンマー１０をくぎ２の隣に、ハンマー１０の正面を定義しているハンマー１０の打撃面２２がくぎ２が抜き取られようとしている表面６に接触するように配置する工程を含んでいる。くぎ２はハンマー１０の正面に向かって打撃面２２の近位に配置されている第１の正面抜き取り器３２を使って係合される。そして図４に示されるようにハンドル１４が矢印Ｄの方向に打撃面２を中心に回転されてくぎを表面から部分的に抜き取る。
【００５４】
そしてくぎ２は第１の正面抜き取り器３２から開放され、ハンマー１０の正面に向かって第１の正面抜き取り器３２とハンドル１４との間に配置されている第２の正面抜き取り器３４に係合される。ハンドル１４が再び打撃面２２を中心に回転されて表面からさらにくぎ２を抜き取るようにする。くぎ２の長さによっては、上述の工程は表面６から完全にくぎ２を抜き取るのに十分である。しかしながら上述の工程がくぎを完全に抜き取らない範囲では、くぎ２は第２の正面抜き取り器３４から開放されてハンマー１０の正面に向かって第２の正面抜き取り器３４とハンドル１４との間に配置されている第３の正面抜き取り器３６と係合される。ハンドル１４が再び打撃面２２を中心に回転されて表面６から完全にくぎ２を抜き取るようにする。
【００５５】
本発明によりハンマー１０を利用するさらなる恩恵は図５および図６にも示されており、これらの図はそれぞれ従来の爪２４および正面抜き取り器３２を使って垂直面７からくぎ３を抜き取るのに使用中のハンマー１０を表している。もしくぎ３が垂直面７に埋め込まれていれば、従来の爪２４のくぎ３を抜き取る能力はもしくぎ３およびその頭部５がユーザーのちょうど手の届かない高さにある場合は著しく低下する可能性がある。特に、図５に示すようにハンマー１０の従来の爪２４を使ってくぎ３を抜き取るためには、ハンマー１０のハンドルグリップ１６を実際にはくぎ３自身の高さよりも高い位置に上昇させなければならない。従って、はしごまたは他の上昇装置を使ってユーザーの手の届く範囲を広くしない限り簡単には抜き取ることはできない。
【００５６】
反対に、図６にはっきりと示すように、正面抜き取り器３２、３４、および３６はハンマー１０のハンドルグリップ１６をくぎ３に対して十分に低い高さ位置に配置する。これによりユーザーの手の届く範囲が有効的に広くされくぎ３の頭部５が係合できるようになる。このようにして、本発明は他の場合であれば手の届く範囲外であると思われるくぎまたは他の固定具を正面抜き取り器３２、３４、および３６を使って抜き取れるようにする。
【００５７】
ハンマー１０はスチールおよび／または他の適切な材料を使ってどのような従来の方法でも製造できる。この点に関して、正面抜き取り器の設けられたインターフェース部３０はハンマーヘッド１２および／またはハンドル１４と一体的に形成してよい。さもなければ、インターフェース部３０をハンマー１０とは別個に製造してその後ハンマーヘッド１２および／またはハンドル１４に溶接またはそれをしっかりと取り付けるための何らかの他の適切な方法によって取り付けてよい。この点に関して、本発明によるインターフェース部および正面抜き取り器は既存の従来のハンマーに後付けできる別個の構成部材として実現してよい。例えば、インターフェース部および正面抜き取り器はボルト、ねじ、ピンなどを含む締付け金具および／または固定具を使って機械的に固定される。さらに、図示している実施態様ではインターフェース部３０はハンマー１０のハンマーヘッド１２およびハンドル１４に取り付けられているが、インターフェース部３０は他の実施態様では片持ちとし得る。
【００５８】
図７は本発明の他の実施態様によるハンマー１１０の部分側面図である。図示されるように、ハンマー１１０は上で説明した図１のハンマー１０に実質的に類似である。この点に関して、ハンマー１１０はハンドル１１４の第１の端部に取り付けられているヘッド１１２、およびハンドルグリップ１１６（部分的にのみ示す）が設けられたハンドル１１４を備えている。ハンマー１１０のヘッド１１２はハンドル１１４から垂直に延びている打撃ヘッド１２０、および従来の爪１２４を備えており、打撃ヘッド１２０は打撃面１２２を持っている。
【００５９】
図示されている実施態様によるハンマー１１０はまた打撃ヘッド１２０の下側とハンマー１１０のハンドル１１４の正面側との間に斜めにまたがっているインターフェース部１３０も備えている。この点に関して、図示されている実施態様では、インターフェース部１３０が斜め向きになっていることにより図示されるようにインターフェース部１３０とハンマーヘッド１１２との間に開口部１３１が形成されている。開口部１３１は製造材料を節約しまた重量およびバランス上の事項の応用を可能とする役割を果たす。
【００６０】
すでに説明した実施態様と同様に、インターフェース部１３０には第１、第２、および第３の抜き取り器１３２、１３４、および１３６がそれぞれ設けられている。この点に関して、正面抜き取り器１３２、１３４、および１３６はくぎまたは他の固定具のヘッドが係合できるような大きさとされているスロット１３３、１３５、および１３７によってそれぞれインターフェース部１３０に形成されている。上ですでに述べたように、インターフェース部１３０の表面１３８（点線で表示されている）はくぎまたは他の固定具の動きをそれが抜き取られるにつれて制限する溝の接触面１３３、１３５、および１３７を定義している。ハンマー１１０は図３から図６に関してすでに説明したハンマー１０と実質的に同じように利用できる。従って、ハンマー１１０およびその動作についてのさらなる説明は省略して繰り返しを避ける。
【００６１】
図８は図７のハンマー１１０に実質的に類似の、本発明のさらに他の実施態様によるハンマー２１０の部分側面図である。この点に関して、ハンマー２１０はハンドルグリップ（部分的にのみ示す）を持つハンドル２１４の第１の端部に取り付けられているヘッド２１２を備えている。ハンマー２１０のヘッド２１２は打撃面２２２を持つ打撃ヘッド２２０、および従来の爪２２４を備えている。
【００６２】
ハンマー２１０はまた打撃ヘッド２２０の下側とハンドル２１４の正面側との間に斜めにまたがり開口部２３１を持つインターフェース部１３０も備えている。すでに説明した実施態様と同様に、インターフェース部２３０には上で説明したように使って表面からくぎまたは他の固定具を抜き取ることのできる第１、第２、および第３の正面抜き取り器２３２、２３４、および２３６がそれぞれ設けられている。正面抜き取り器２３２、２３４、および２３６はスロット２３３、２３５、および２３７によってそれぞれインターフェース部２３０に形成されており、表面２３８はスロットを通って延びている溝の接触面を定義している。
【００６３】
図８の図面によって示されているように、本実施態様ではハンマー２１０の第１のスロット２３３および第２のスロットは拡大されており、実質的に角度のついた形状となっていてスロットの幅がインターフェース部に向かって小さくなるようになっている。スロット２３３および２３５が拡大していることで、すでに説明した実施態様のスロットと比較するとくぎのヘッドをスロット２３３および２３５により簡単に配置できるようになっており、その結果第１の正面抜き取り器２３２または第２の正面抜き取り器２３４によってくぎのヘッドが簡単に係合される。特に、スロット２３３および２３５が角度のついた形状となっていることでハンマー２１０のユーザーはハンマー２１０を、所望の正面抜き取り器に対応するスロットが抜き取ろうとしているくぎのヘッドの近位となるように配置し、そしてくぎのヘッドがそれに結合されている抜き取り器によりスロットの傾斜のついた表面に沿ってスライドするようにハンマー２１０を引っ張ることでくぎのヘッドを簡単に係合することができる。このようにして、簡単にくぎが迅速に抜き取れるようにして作業効率がさらに改善されるようにできる。
【００６４】
当然ながら、上で説明した図１から図８は３つの正面抜き取り器によって本発明の実施態様を図示しているが、本発明の他の実施態様では違う数の抜き取り器を設けてもよい。すでにうえで説明しまたこれらの図示した実施態様に示したように、インターフェース部は打撃ヘッドおよびハンドルに取り付けることができる。しかしながら以下に具体的に説明するように、本発明の他の実施態様ではインターフェース部を片持ちとして打撃ヘッドまたはハンドルに取り付けできるようにし得る。
【００６５】
図９は、本発明のさらに他の実施態様によるハンマー３１０の部分側面図である。図示されるように、ハンマー３１０はハンドルグリップ３１６（部分的にのみ示す）を持つハンドル３１４の第１の端部に取り付けられるヘッド３１２を備えている。ハンマー３１０のヘッド３１２は打撃面３２２を持つ打撃ヘッド３２０、および従来の爪３２４を備えている。ハンマー３１０はまた、上で説明したように使って表面からくぎまたは他の固定具を抜き取るのに使える第１、第２、および第３の正面抜き取り器３３２、３３４、および３３６をそれぞれ持つインターフェース部３３０も備えている。この点に関して、正面抜き取り器３３２、３３４、および３３６はそれぞれスロット３３３、３３５、および３３７によってインターフェース部３３０に形成されており、表面３３８はスロットを通って延びている溝の接触面を定義している。
【００６６】
上で説明した実施対応とは反対に、ハンマー３１０のインターフェース部３３０は片持ちとなっていてハンマー３１０のハンドル３１４に取り付けられている。図示されている実施態様では、インターフェース部３３０およびそこに設けられている正面抜き取り器がハンマー３１０のハンドル３１４と一緒に形成できる。このことは、ハンマーヘッドがハンドルとは別個の部材として形成されその後一緒に取り付けられて完成したハンマーとする構成においてとくに有利である。再び、本実施態様では３つの正面抜き取り器が図示されているが、他の実施態様では違う数の抜き取り器を設けてもよい点に留意すべきである。
【００６７】
図１０は本発明のさらに他の実施態様によるハンマー４１０の部分側面図であり、図１１はその正面図を示している。従来のくぎ抜きハンマー同様、ハンマー４１０はハンドル４１４の第１の端部に取り付けられるヘッド４１２を備えており、ハンドル４１４にはハンドルグリップ（部分的にのみ示す）が設けられている。ハンマー４１０のヘッド４１２は打撃ヘッド４２０および従来の爪４２４を備えており、打撃ヘッドはハンドル４１４から垂直に延びていて打撃面４２２を持っている。
【００６８】
さらに、ハンマー４１０には打撃ヘッド４２０に取り付けられているインターフェース部４３０が設けられている。図１から図９に関して上で説明した上述の実施態様とは反対に、ハンマー４１０のインターフェース部４３０は打撃ヘッド４２０から片持ちとなっていてハンドル４１４には取り付けられていない。インターフェース部４３０には第１および第２の正面抜き取り器４３２、４３３がそれぞれ設けられている。第１の正面抜き取り器４３２は、くぎまたは他の固定具のヘッドが抜き取りのために係合できる大きさとされているスロット４３３によってインターフェース部４３０に形成されている。第２の正面抜き取り器４３４もまたインターフェース部４３０に形成されている。インターフェース部４３０の表面４３８（点線で表示されている）は、第１の正面抜き取り器４３２および第２の正面抜き取り器４３４を通って延びておりくぎまたは他の抜き取り器の動きをそれが抜き取られるにつれて制限する図１１に示す溝４４０の接触面を定義している。
【００６９】
図１２は、ハンマー４１０の正面抜き取り器を使って垂直面４０７からくぎ４０３を抜き取るのに使用中の図１０のハンマーの側面図である。特に、図示されるようにくぎ４０３のヘッド４０５は第１の正面抜き取り器４３２によって係合されて、矢印「Ｇ」の方向にハンマー４１０を回転するとくぎ４０３が表面４０７から引き抜かれるようになっている。もしくぎが表面４０７からさらに突出している場合、または第１の正面抜き取り器４３２を使って部分的にしか取り除けない場合は、第２の正面抜き取り器４０７を使える。例えば、表面４０７からさらに突出しているくぎ４０３’は図示しているように第２の正面抜き取り器４３４をくぎのヘッド４０５’に係合し、そして矢印Ｇの方向にハンマーを回転させることによって簡単に取り除くことができる。
【００７０】
再び図１０を参照すると、本発明の図示される実施態様では、第１の正面抜き取り器４３２および第２の正面抜き取り器４３４は両方とも外向きに延びておりハンマー４１０のハンドル４１４に実質的に平行である。好ましい実施態様では、図示されるように、第２の正面抜き取り器４３４は第１の正面抜き取り器４３２を越えて延びることはない。これによりハンマー４１０を有利に使って組み立ておよび大工仕事の際に木製のはりを、かかるはりをハンマー４１０のハンドル４１４と正面抜き取り器４３２および４３４のうちいずれか１つとの間に係合することによってよじることができる。
【００７１】
特に、図１０に示すようにハンマー４１０およびそれに設けられている第１の正面抜き取り器４３２は、ｗ１の幅寸法を持つ点線の長方形で印されたＰ１によって概略的に示される木製のはりに係合するような寸法にできる。矢印「Ｆ」の方向にハンマー４１０を回転することにより、概略的に図示される木製のはりＰ１は第１の正面抜き取り器４３２およびハンマー４１０のハンドル４１４のよじり動作により簡単に回転される。同様に、第２の正面抜き取り器４３４は、ｗ１よりも小さい幅寸法ｗ２を持つ点線の長方形で印されたＰ２によって概略的に示される木製のはりに係合するような寸法にできる。再び、矢印「Ｆ」の方向にハンマー４１０を回転することにより、概略的に図示される木製のはりＰ２は第２の正面抜き取り器４３４およびハンマー４１０のハンドル４１４のよじり動作により簡単に回転される。
【００７２】
上述の点に関して、ハンマー４１０のハンドル４１４および第１の抜き取り器４３２は互いに約１  ５／８インチの間隔をあけて従来の「厚さ２インチ幅４インチ」の木製のはりに係合しよじるようにできる。ハンマー４１０のハンドル４１４および第２の正面抜き取り器４３４は互いに約１  １／４インチの間隔をあけて一般に使われている木製のはりに係合しよじるようにできる。当然ながら、上述の寸法は単に従来のハンマーと比較してハンマー４１０にさらなる有用性および価値を加える一例として挙げたにすぎない点に留意すべきである。
【００７３】
図１０から図１２の実施態様に関して２つの正面抜き取り器４３２および４３４を示しているが、本発明の他の実施態様には１つの正面抜き取り器または２つより多くの正面抜き取り器など違う数の正面抜き取り器が設けられてもよい点に留意すべきである。さらに、正面抜き取り器は長さが違っていても同じでもよく、（図示されるように）向きが平行でもよくまたはハンドル４１４に対して角度がつけられていてもよい。ハンマー４１０はどのような従来の方法でも製造できる。この点に関して、インターフェース部４３０および正面抜き取り器４３２および４３４はハンマーヘッド４１２と一体的に形成してよい。あるいは、インターフェース部４３０および正面抜き取り器４３２および４３４をハンマー４１０とは別個に製造し、その後に溶接またはしっかりとした取り付けを行うための他の方法または機構によってハンマーヘッド４１２を取り付けてもよい。
【００７４】
さらに、図１０から図１２の正面抜き取り器を実質的に厚さ寸法を持つインターフェース部４３０から突出しているとして図示し説明しているが、本実施態様では、インターフェース部は正面抜き取り器４３２および４３４を打撃ヘッド４２０の下側に固定するのに役立つ点に留意すべきである。その結果、他の実施態様ではインターフェース部４３０は非常に薄いかさもなければ省略されて正面抜き取り器４３２および／または４３４が本質的に打撃ヘッド４２０自身から直接突出するようにしてよい。しかしながらインターフェース部４３０を設けて、抜き取りの最中にくぎの曲がり具合を制御したり、抜き取り器が打撃ヘッド４２０の近くに配置されたのであれば困難であろう長いくぎの抜き取りができるようしたりするのが好ましい。
【００７５】
図１３は本発明のさらに他の実施態様によるハンマー５１０の部分側面図である。見て取れるように、ハンマー５１０は図１０から１２に関して上で説明したハンマー４１０に似ている。ハンマー５１０はハンドル５１４の第１の端部に取り付けられているヘッド５１２を備えており、ハンマー５１０のヘッド５１２はハンドル５１４に対して実質的に垂直に延びる打撃ヘッド５２０、および従来の爪５２４を備えており、打撃ヘッド５２０は打撃面５２２を備えている。さらにハンマー５１０には、第１および第２の正面抜き取り器５３２および５３４がそれぞれ設けられているインターフェース部５３０、およびくぎまたは他の固定具の動きをそれが抜き取られるにつれて制限する溝の接触面を定義している表面５３８（点線で表示されている）が設けられている。
【００７６】
図示されている実施態様では、インターフェース部５３０に第１の正面抜き取り器５３２を形成しているスロット５３３はくぎ５０３のヘッド５０５に係合するような大きさとされており、これによりくぎ５０３を図１３に示される実質的な片持ち位置に支持する。これにより、ユーザーが手を使ってくぎ５０３を表面に対して支持または配置する必要なくただハンマー５１０を振り動かしてくぎ５０３の頂点を持つ表面を打撃するだけでくぎ５０３を最初に表面に打ち込むことが可能となる。そしてユーザーは単にスロット５３３からくぎを解放し、その後ユーザーは打撃工具としてハンマー５１０を従来の用途に使うことによりくぎを表面に打ち込みつづけることができる。スロット５３３は幅を１／１６から１／８インチの間の幅にしてもっとも一般的に使用されるくぎのヘッドに係合可能とし得る。好ましくは、スロット５３３は幅を約３／３２インチとしインターフェース部５３０に向かって幅がわずかに先細りとなるような寸法とすることでさまざまな厚さのくぎのヘッドに係合可能とできる。
【００７７】
くぎ５０３をスロット５３３に保持するための上述の方法の代わりに、またはそれに加えて、インターフェース部５３０、第１の正面抜き取り器５３２、および／または第２の正面抜き取り器５３４を帯磁させてくぎを図示されるような実質的に片持ち位置に支持可能とし得る。くぎおよび固定具のほとんどはスチールでできているため、これらは磁力の印加によって所定の位置に支持できる。当然ながら、このような特徴は図１から９に関して上で説明した本発明の実施態様にも同様に簡単に組み込むことができる。
【００７８】
すでに述べたように、本発明によるハンマーおよびハンマーヘッドはスチールおよび／または他の適切な材料を使ってどのような従来の方法でも製造し得る。正面抜き取り器を備えた説明済みのインターフェース部はハンマーヘッドおよび／またはハンドルと一体的に形成してよく、または別個に製造し後で溶接またはなんらかの他の適切な用法で取り付けてもよい。これにより本発明によるインターフェース部および正面抜き取り器を既存の従来のハンマーに後付けされる別個の構成部材として実現できる。
【００７９】
本発明によるさまざまな実施態様を図示し説明してきたが、本発明はこれらに限定されないことがわかる。本発明は当業者によって変更、改変、およびさらに応用され得る。さらに、最初に述べたように、本発明は後でハンドルと一緒にアセンブリされて完全なハンマーとされるハンマーヘッドにも簡単に応用できる。従って、本発明はすでに図示し説明した詳細に制限されることはなく、かかる変更および改変をすべて含むものである。
【図面の簡単な説明】
【００８０】
【図１】本発明の１つの実施態様によるハンマーの部分側面図である。
【図２】図１のハンマーの正面図である。
【図３】図１のハンマーの、それに設けられている従来の爪を使ってくぎを抜き取るのに使用中の部分側面図である。
【図４】図１のハンマーの、それに設けられている正面抜き取り器を使ってくぎを抜き取るのに使用中の部分側面図である。
【図５】図１のハンマーの、従来の爪を使って垂直表面上のくぎを抜き取るのに使用中の側面図である。
【図６】図１のハンマーの、本発明の１つの実施態様によるハンマーの正面抜き取り器を使って垂直表面上のくぎを抜き取るのに使用中の側面図である。
【図７】本発明の他の実施態様によるハンマーの部分側面図である。
【図８】本発明のさらに他の実施態様によるハンマーの部分側面図である。
【図９】本発明のさらに他の実施態様によるハンマーの部分側面図である。
【図１０】本発明のさらに他の実施態様によるハンマーの部分側面図である。
【図１１】図１０のハンマーの正面図である。
【図１２】図１０のハンマーの、正面抜き取り器を使って垂直表面上のくぎを抜き取るのに使用中の側面図である。
【図１３】本発明のさらに他の実施態様によるハンマーの部分側面図である。
【図１】
2006507132.tif 000003
【図２】
2006507132.tif 000004
【図３】
2006507132.tif 000005
【図４】
2006507132.tif 000006
【図５】
2006507132.tif 000007
【図６】
2006507132.tif 000008
【図７】
2006507132.tif 000009
【図８】
2006507132.tif 000010
【図９】
2006507132.tif 000011
【図１０】
2006507132.tif 000012
【図１１】
2006507132.tif 000013
【図１２】
2006507132.tif 000014
【図１３】
2006507132.tif 000015
【手続補正書】
【提出日】平成17年4月28日(2005.4.28)
【手続補正１】
【補正対象書類名】特許請求の範囲
【補正対象項目名】全文
【補正方法】変更
【補正の内容】
【特許請求の範囲】
【請求項１】
ハンマーであって、
第１の端部を有するハンドルと、
前記ハンドルの前記第１の端部に固定され、前記ハンマーの正面を定義する打撃面が設けられた打撃ヘッドを有するハンマーヘッドと、
前記打撃ヘッドに取り付けられ、少なくとも１つの正面抜き取り器を有するインターフェース部と、
を備えているハンマー。
【請求項２】
前記少なくとも１つの正面抜き取り器は複数の正面抜き取り器であることを特徴とする請求項１に記載のハンマー。
【請求項３】
前記インターフェース部は前記複数の正面抜き取り器を通って延びている溝を備え、
前記複数の正面抜き取り器の少なくとも１つは、前記インターフェース部に形成されている少なくとも１つのスロットによって形成されていることを特徴とする請求項２に記載のハンマー。
【請求項４】
前記少なくとも１つのスロットは角度の付けられた形状を持ち前記スロットの幅が前記インターフェース部に向かって狭くなるようになっていることを特徴とする請求項３に記載のハンマー。
【請求項５】
前記インターフェース部は、前記打撃ヘッドの下側と前記ハンドルとの間に斜めにまたがっているとともに、
前記打撃ヘッドと前記ハンドルとの少なくとも１つに取り付けられていることを特徴とする請求項２に記載のハンマー。
【請求項６】
前記インターフェース部は前記打撃ヘッドおよび前記ハンドルと一緒に一体的に形成されていることを特徴とする請求項２に記載のハンマー。
【請求項７】
前記インターフェース部の前記少なくとも１つの正面抜き取り器は前記ハンドルに実質的に平行に片持ちとされている第１の正面抜き取り器を備えることを特徴とする請求項１に記載のハンマー。
【請求項８】
前記ハンドルと前記第１の正面抜き取り器との間に前記ハンドルに実質的に平行に片持ちとされている第２の正面抜き取り器をさらに備え、
前記第１の抜き取り器は前記第２の抜き取り器よりも長いことを特徴とする請求項７に記載のハンマー。
【請求項９】
前記第１の正面抜き取り器は前記ハンドルから約１と５／８インチの間隔があけられ、
前記第２の正面抜き取り器は前記ハンドルから約１と１／４インチの間隔があけられていることを特徴とする請求項８に記載のハンマー。
【請求項１０】
前記少なくとも１つのスロットはくぎのヘッドがそのなかに支持される大きさとされて前記くぎが前記打撃面に対して実質的に垂直に片持ちとされるようになっていることを特徴とする請求項２に記載のハンマー。
【請求項１１】
前記少なくとも１つのスロットは約１／１６から１／８インチの幅、好ましくは約３／３２インチの幅とされていることを特徴とする請求項１０に記載のハンマー。
【請求項１２】
前記スロットは先細りとされて前記スロットの幅が前記インターフェース部に向かって狭くなるようになっていることを特徴とする請求項１０に記載のハンマー。
【請求項１３】
前記複数の正面抜き取り器の少なくとも１つが帯磁されてくぎをそのなかに支持できるようにし前記くぎが前記打撃面に対して実質的に垂直に片持ちとされるようになっていることを特徴とする請求項２に記載のハンマー。
【請求項１４】
前記ハンマーヘッドは前記打撃ヘッドの反対側に配置される従来の爪も備えることを特徴とする請求項１に記載のハンマー。
【請求項１５】
ハンマーヘッドであって、
前記ハンマーヘッドの正面を定義する打撃面を有する打撃ヘッドと、
前記打撃ヘッドに取り付けられ、前記打撃ヘッドの近位にくぎの抜き取りを可能とするように適合されている複数の正面抜き取り器を有するインターフェース部と、
を備えたハンマーヘッド。
【請求項１６】
前記複数の正面抜き取り器は前記インターフェース部から片持ちとされている第１の正面抜き取り器と前記インターフェース部から片持ちとされている第２の正面抜き取り器とを備えることを特徴とする請求項１５に記載のハンマーヘッド。
【請求項１７】
前記第１の正面抜き取り器と前記第２の正面抜き取り器とは前記打撃面に実質的に平行であり、
前記第１の正面抜き取り器は前記第２の正面抜き取り器よりも長いことを特徴とする請求項１６に記載のハンマーヘッド。
【請求項１８】
前記複数の正面抜き取り器の少なくとも１つは前記インターフェース部に形成されている少なくとも１つのスロットによって形成され、
前記インターフェース部は前記複数の正面抜き取り器を通って延びている溝を備えていることを特徴とする請求項１５に記載のハンマーヘッド。
【請求項１９】
前記少なくとも１つのスロットはくぎのヘッドがそのなかに支持される大きさとされて前記くぎが前記打撃面に対して実質的に垂直に片持ちとされるようになっているとともに、約１／１６から１／８インチの幅とされ、かつ先細りとされて前記スロットの幅が前記インターフェース部に向かって狭くなるようになっていることを特徴とする請求項１８に記載のハンマーヘッド。
【請求項２０】
前記複数の正面抜き取り器の少なくとも１つが帯磁されてくぎをそのなかに支持できるようにし前記くぎが前記打撃面に対して実質的に垂直に片持ちとされるようになっていることを特徴とする請求項１５に記載のハンマーヘッド。
【請求項２１】
前記打撃ヘッドの反対側に配置される従来の爪も備えることを特徴とする請求項１５に記載のハンマーヘッド。
【請求項２２】
ハンマーヘッドであって、
前記ハンマーヘッドの正面を定義している打撃面を有する打撃ヘッドと、
前記打撃ヘッドから片持ちとされているくぎの抜き取りを可能とするように適合されている第１の正面抜き取り器および第２の正面抜き取り器と、
を備えているハンマーヘッド。
【請求項２３】
前記第１の正面抜き取り器は前記第２の正面抜き取り器よりも長く、
前記第１の正面抜き取り器と前記第２の正面抜き取り器とは前記打撃面に実質的に平行であることを特徴とする請求項２２に記載のハンマーヘッド。
【請求項２４】
前記第１の正面抜き取り器および前記第２の正面抜き取り器を通って延びている溝をさらに備えることを特徴とする請求項２２に記載のハンマーヘッド。
【請求項２５】
前記第１の正面抜き取り器と前記第２の正面抜き取り器との間にスロットが設けられていることを特徴とする請求項２４に記載のハンマーヘッド。
【請求項２６】
前記スロットはそのなかにくぎのヘッドを保持する大きさの約１／１６から１／８インチの間の幅とされ、前記釘が前記溝に保持され前記打撃面に対して実質的に垂直に片持ちとされるようになっていることを特徴とする請求項２５に記載のハンマーヘッド。
【請求項２７】
前記スロットは先細りとされて前記スロットの幅が前記打撃ヘッドに向かって狭くなるようになっていることを特徴とする請求項２６に記載のハンマーヘッド。
【請求項２８】
前記第１の正面抜き取り器および前記第２の正面抜き取り器のうち少なくとも１つが帯磁されてくぎが前記溝のなかに保持され前記打撃面に対して実質的に垂直に片持ちとされるようになっていることを特徴とする請求項２４に記載のハンマーヘッド。
【請求項２９】
前記第１の正面抜き取り器および前記第２の正面抜き取り器は前記ハンマーヘッドの前記打撃ヘッドと一体的に形成されることを特徴とする請求項２２に記載のハンマーヘッド。
【請求項３０】
前記打撃ヘッドの反対側に配置される従来の爪をさらに備えることを特徴とする請求項２２に記載のハンマーヘッド。
【請求項３１】
ハンマーであって、
第１の端部を有するハンドルと、
前記ハンドルの第１の端部に固定され、前記ハンマーの正面を定義している打撃面が設けられた打撃ヘッドを有するハンマーヘッドと、
前記打撃ヘッドおよび前記ハンドルのうち少なくとも１つに取り付けられ、前記ハンマーヘッドの近位に前記ハンマーの正面に向かって配置される複数の正面抜き取り器を有するインターフェース部と、
を備えているハンマー。
【請求項３２】
前記インターフェース部は前記複数の正面抜き取り器を通って延びている溝を備えることを特徴とする請求項３１に記載のハンマー。
【請求項３３】
前記複数の正面抜き取り器は前記インターフェース部に形成されている少なくとも１つのスロットによって形成されていることを特徴とする請求項３１に記載のハンマー。
【請求項３４】
前記インターフェース部は前記打撃ヘッドの下側と前記ハンドルとの間に斜めにまたがっているとともに、前記打撃ヘッドの下側と前記ハンドルとに取り付けられていることを特徴とする請求項３１に記載のハンマー。
【請求項３５】
前記複数の正面抜き取り器を有する前記インターフェース部は前記ハンドルに取り付けられてそこから片持ちとされていることを特徴とする請求項３１に記載のハンマー。
【請求項３６】
前記複数の正面抜き取り器を有する前記インターフェース部は前記打撃ヘッドに取り付けられてそこから片持ちとされていることを特徴とする請求項３１に記載のハンマー。
【請求項３７】
前記正面抜き取り器のうち少なくとも１つが前記ハンドルに対して実質的に平行に片持ちとされていることを特徴とする請求項３６に記載のハンマー。
【請求項３８】
前記少なくとも１つのスロットは角度の付いた形状を持ち前記スロットの幅が前記インターフェース部に向かって狭くなるようになっているとともに、そのなかにくぎのヘッドが支持できる大きさとされて前記くぎが前記打撃面に対して実質的に垂直に片持ちとされるようになっていることを特徴とする請求項３３に記載のハンマー。
【請求項３９】
前記複数の正面抜き取り器のうち少なくとも１つが帯磁されてそのなかにくぎが支持され前記くぎが前記打撃面に対して実質的に垂直に片持ちとされるようになっていることを特徴とする請求項３１に記載のハンマー。
【請求項４０】
表面からくぎを抜き取る方法であって、
くぎの隣にハンマーを、ハンマーの正面を定義しているハンマーの打撃面がくぎを抜き取ろうとしている表面に接触するように配置する工程と、
ハンマーの正面に向かってハンマーの打撃面の近位に配置された第１の正面抜き取り器にくぎを係合させる工程と、
ハンマーのハンドルを打撃面を中心に回転させて表面から部分的にくぎを抜き取る工程と、
第１の正面抜き取り器からくぎを解放する工程と、
ハンマーの正面に向かって第１の正面抜き取り器とハンマーのハンドルとの間に配置されている第２の正面抜き取り器にくぎを係合させる工程と、
ハンマーのハンドルを打撃面を中心に回転させてさらに表面からくぎを抜き取る工程と、
を包含する方法。
【請求項４１】
前記くぎを第２の正面抜き取り器に係合させてハンマーのハンドルを打撃面を中心に回転させる工程がくぎを表面から完全に抜き取ることを特徴とする請求項４０に記載の方法。
【請求項４２】
第２の正面抜き取り器からくぎを解放する工程と、
ハンマーの正面に向かって第２の正面抜き取り器とハンマーのハンドルとの間に配置されている第３の正面抜き取り器にくぎを係合させる工程と、
ハンマーのハンドルを打撃面を中心に回転させて表面からくぎを完全に抜き取る工程と、
をさらに包含することを特徴とする、請求項４０に記載の方法。
【国際調査報告】
2006507132.tif 000016